(57)【特許請求の範囲】
【請求項１】
テープ基材の一方の面に粘着剤層を積層し、他方の面の少なくとも一部に経時的に色彩の変化を起こす経時インジケータを塗布すると共に経時インジケータ塗布面に剥離剤層を設けて本体テープを構成し、さらに本体テープの剥離剤層面には粘着剤層、ガスバリア層、剥離剤層の順に積層されてなる剥離フィルムを粘着剤層を内面にして貼付けて片面被覆テープを構成し、さらに該片面被覆テープを本体テープの粘着剤層側を内側にして芯材に巻き付けロール状にした経時インジケータ付きテープ。
【請求項２】
テープ基材の一方の面に粘着剤層を積層し、他方の面の少なくとも一部に経時的に色彩の変化を起こす経時インジケータを塗布すると共に経時インジケータ塗布面に剥離剤層を設けて本体テープを構成し、さらに本体テープの剥離剤層面にはガスバリア層および粘着剤層からなる表側剥離フィルムを粘着剤層を内面にして貼付け、一方前記本体テープの粘着剤層面にはガスバリア層および剥離剤層からなる裏側剥離フィルムを剥離剤層を内側にして貼り付けた経時インジケータ付きテープ。
【請求項３】
１つのテープ基材に色彩の変化時間の異なる複数種の経時インジケータを塗布した請求項１もしくは請求項２に記載の経時インジケータ付きテープ。
【請求項４】
経時インジケータの色彩の変化時間が２０〜２００時間である請求項１〜請求項３のいずれか１項に記載の経時インジケータ付きテープ。
【請求項５】
輸液療法における輸液セット、カテーテル刺入部消毒の際に使用される粘着フィルムの交換時期もしくは食品の賞味期限の到来を知るために使用する請求項１〜請求項４のいずれか１項に記載の経時インジケータ付きテープ。
【発明の詳細な説明】
【０００１】
【発明の属する技術分野】
本発明は一定時間の経過を認識し得るようにしたテープに関するものであり、特に一定期間（時間）の経過を色彩の変化により認識し得るようにしたテープに関するものである。本発明のテープは、例えば院内感染事故を防止するため輸液療法に使用する輸液セットに貼付し、輸液セットの交換時期を知らせるためのインジケータとして、好適に使用できる。また、カテーテル刺入部消毒の際に使用される粘着フィルムに貼付し、粘着フィルムの交換時期を知らせるためのインジケータとしても利用できる。
【０００２】
【従来の技術】
近年テレビ、ラジオ、新聞等で院内感染の事故がしばしば報道されるが、院内感染事故は、通常は問題にならないような日常存在する細菌が病院内で治療を受けている免疫機能の低下した患者の体内で増殖して生じるものである。原因は種々あるが、その一つに輸液療法に使用される器材等を介した細菌汚染が挙げられる。特に、高カロリー栄養の投与が必要な患者は一般的に輸液療法が長期化するため、輸液とカテーテルを繋ぐ輸液セットが再使用されることもあり、細菌汚染を招き易く好ましくない。
【０００３】
そこで、輸液セットの使用期間を予め各医療施設で設定し、輸液セットを一定期間で交換するようにし、そのため患者の腕または輸液セットのチューブ部分に患者名、投与薬剤名、輸液セットの交換時間等を記載したテープを貼付け、交換時期を表示する等の措置が採られている。また、カテーテル刺入部は定期的な消毒が必要で、その際に粘着フィルムが使用される。粘着フィルムは定期的消毒の際に同時に交換される。交換時間等を記載したテープは粘着フィルムの上に貼付される。
ところが、このような措置では、輸液セットや粘着フィルムの交換時間が患者によって異なる上に、テープに記載されている文字は小さくならざるを得ないので、一人で何人もの患者を担当しなければならない多忙な看護婦にとって所定の交換時間を見逃すおそれがあり、その結果輸液セットや粘着フィルムが交換されず院内感染のリスクが高くなるという問題点があった。
ところで、例えば防虫剤の取替時期を表示したインジケータ等のように日時の経過を色の変化で表示するインジケータは、よく知られているのでこれを輸液セットやカテーテル刺入部消毒の際に使用される粘着フィルムに貼付けて輸液セットや粘着フィルムの交換時間を示すようにする等が考えられる。例えば、特公昭６４−２９０６号公報には、このようなインジケータを適当な基材に保持し、これを商品等に貼付けて使用する例が記載されている。
【０００４】
【発明が解決しようとする課題】
ところが、このようなインジケータは通常空気中の二酸化炭素によりｐＨが変化するアルカリ物質とｐＨ指示薬とを組み合わせたものが使用されるので、二酸化炭素の影響を避けるため使用時までガスバリア性の外装袋に密封しておき、使用開始時に外装袋をいちいち破ったり等しなければならないので手間が掛かり、非常に使い勝手が悪いという問題点がある。
本発明はこのような事情を背景としてなされたものであり、本発明の目的は、遠くからでも所定の経過時間を目で容易に確認できると共に、ガスバリア包装が不要で対象物等に簡単に貼付け得る経時インジケータ付きテープを提供することである。
【０００５】
【課題を解決するための手段】
このような目的を達成するためになされた本発明は、次のように構成される。
Ａ  テープ基材の一方の面に粘着剤層を積層し、他方の面の少なくとも一部に経時的に色彩の変化を起こす経時インジケータを塗布すると共に経時インジケータ塗布面に剥離剤層を設けて本体テープを構成し、さらに本体テープの剥離剤層面には粘着剤層、ガスバリア層、剥離剤層の順に積層されてなる剥離フィルムを粘着剤層を内面にして貼付けて片面被覆テープを構成し、さらに該片面被覆テープを本体テープの粘着剤層側を内側にして芯材に巻き付けロール状にした経時インジケータ付きテープ。
Ｂ  テープ基材の一方の面に粘着剤層を積層し、他方の面の少なくとも一部に経時的に色彩の変化を起こす経時インジケータを塗布すると共に経時インジケータ塗布面に剥離剤層を設けて本体テープを構成し、さらに本体テープの剥離剤層面にはガスバリア層および粘着剤層からなる表側剥離フィルムを粘着剤層を内面にして貼付け、一方前記本体テープの粘着剤層面にはガスバリア層および剥離剤層からなる裏側剥離フィルムを剥離剤層を内側にして貼り付けた経時インジケータ付きテープ。
Ｃ  １つのテープ基材に色彩の変化時間の異なる複数種の経時インジケータを塗布したＡ項もしくはＢ項に記載の経時インジケータ付きテープ。
Ｄ  経時インジケータの色彩の変化時間が２０〜２００時間であるＡ項〜Ｃ項のいずれか１項に記載の経時インジケータ付きテープ。
Ｅ  輸液療法における輸液セット、カテーテル刺入部消毒の際に使用される粘着フィルムの交換時期もしくは食品の賞味期限の到来を知るために使用するＡ項〜Ｄ項のいずれか１項に記載の経時インジケータ付きテープ。
【０００６】
【発明の実施の形態】
以下本発明の実施例を記載した図面に基づいて、発明の実施の形態を詳細に説明する。
図１は本発明の実施例のテープ断面を模式的に拡大して図示している。図1（イ）において２はテープ基材であり、テープ基材２の一方の面には粘着剤層４が積層され、他方の面には経時的に色彩が変化する経時インジケータ６が塗布されると共に、経時インジケータ６の塗布面に剥離剤層８を設けて本体テープ１０が構成され、さらに本体テープ１０の剥離剤層８の面には粘着剤層１２、ガスバリア層１４、剥離剤層１６の順に積層されてなる剥離フィルム１８が粘着剤層１２側を内側にして貼付けられ片面被覆テープ２０が形成され、さらに片面被覆テープ２０は芯材に巻き付けられて図1（ロ）に示すようにロール状の経時インジケータ付きテープ２２が構成される。片面被覆テープ２０は本体テープ１０の経時インジケータ６側の片面が、ガスバリア層を含む剥離フィルム１８により被覆され、片面側の外気の影響から保護されるが、図1（ロ）に示すようにロール状になると経時インジケータ６は内外両面から保護される。ここでは、経時インジケータ６はテープ基材２の片側全面に塗布したが、テープ基材２に部分的に塗布することも可能であり、また色の変化時間の異なる複数種類のインジケータを部分的に塗布することも可能である。
【０００７】
上記実施例において、テープ基材２としては、ポリ塩化ビニル、ポリエステル、ポリエチレン、延伸ポリプロピレン等の樹脂フィルムが好適に採用される。粘着剤層４、１２の粘着剤としては、天然ゴム系、合成ゴム系、アクリル系、シリコーン系等、通常のテープに採用されているものがそのまま利用できる。剥離剤層８、１６の剥離剤としては、通常のテープに用いられているシリコーン系剥離剤が採用できる。経時インジケータ６としては、例えば特公昭６４−２９０６号公報に記載されているようなＰＨの変化により変色する可変色素および大気中の二酸化炭素と反応するアルカリ性物質とを混合した溶液を利用できる。例えば、輸液セットの交換時期（時間）やスーパー等で販売されるおにぎり等の賞味期限が来たことを知るには色の変化時間が２０〜１００時間に調整されていることが好ましい。この調整は、使用するアルカリ性物質およびその使用量、並びにインジケータ塗布面上に設ける剥離剤層８により行われる。ガスバリア層１４のガスバリア材としては、塩化ビニリデンをコーティングした延伸ポリプロピレンフィルムやエチレンビニルアルコールを積層したポリエチレンやポリプロピレン等の多層フィルム等を使用することができる。
【０００８】
経時インジケータ付きテープ２２は、使用時に片面被覆テープ２０を適当なサイズにカットし、図1（ハ）に示すように本体テープ１０の粘着剤層４側を使用対象物２４の表面に貼付した後、剥離フィルム１８を取り除いて使用する。
【０００９】
図２は本発明の他の実施例を模式的に拡大して示す。図2（イ）に記載される経時インジケータ付きテープ２６は、本体テープ２８の一方の面に表側剥離フィルム３０が、他方の面に裏側剥離フィルム３２が設けられて構成され、シート状をなしている。テープ本体２８は前記本体テープ１０と同様な構成を有し、テープ基材３４の一方の面には粘着剤層３６が積層され、他方の面には経時的に色彩が変化する経時インジケータ３８が塗布されると共に、経時インジケータ３８の塗布面に剥離剤層４０が設けられている。表側剥離フィルム３０はガスバリア層４２と粘着剤層４４からなり、粘着剤層４４を内側にして本体テープ２８の剥離剤層４０の面に貼付けられる。裏側剥離フィルム３２はガスバリア層４６と剥離剤層４８とからなり、剥離剤層４８を内側にして本体テープ２８の粘着剤層３６の面に貼付けられる。
前記実施例では、本体テープ１０の片面に、ガスバリア層１４を有する剥離フィルム１８が設けられ片面被覆テープをなしているが、本実施例では本体テープ２８の両面にそれぞれガスバリア層４２、４６を有する表側剥離フィルム３０と裏側剥離フィルム３２が設けられ、いわば両面被覆テープをなしている。
なお、テープ基材、経時インジケータ、各部の粘着剤層や剥離剤層、ガスバリア層については、前記実施例と同様な材質のものを使用できる。
【００１０】
経時インジケータ付きテープ２６は、使用時に適当なサイズにカットし、裏側剥離フィルム３２を取り除いてから図２（ロ）に示すように本体テープ２８の粘着剤層３６側を使用対象物５０の表面に貼付した後、表側剥離フィルム３０を取り除いて使用する。また、図３（イ）に示すように適当なサイズ、形状（例えば幅が１０ｍｍ前後の短冊形）にカットし成形した経時インジケータ付きテープ５４を使用するようにしてもよい。また、経時インジケータ付きテープは、色の変化時間の異なる複数の経時インジケータを使用して、例えば図３（ロ）に示すように異なる数字（または異なる文字、図形、記号等）を表示した経時インジケータ塗布部３８ａ、３８ｂ、３８ｃ等を設けるようにしてもよい。一種類のテープで何通りかの経過時間を知ることができると共に、インジケータ塗布部の形状（数字、文字等）が異なるので各経過時間の区別がし易く、見逃すことがないという利点がある。
【００１１】
［実験例１］（経時インジケータの調製、色の変化時間）
可変色素として０．１％メタクレゾールパープルのエタノール溶液５０ｍｌと０．０１％水酸化ナトリウム水溶液を混合し、エタノールで水酸化ナトリウム濃度が終濃度で０．０００６モル濃度になるよう調整した。本溶液を厚さ４０μｍのポリ塩化ビニルフィルムに塗布した。窒素ガスにて乾燥した後、直ちに空気中にて放置したところ２４±２時間でインジケータの色は青色から無色へと変化した。
［実験例２］（経時インジケータの使用例）、（図４参照）
図4に示すように厚さ４０μｍの二軸延伸ポリプロピレンフィルム６０の片面に予めゴム系粘着剤を固形分で２５ｇ／ｍ２ となるようにロールコータで塗布乾燥し粘着剤層６２を形成した。次ぎにフィルム６０の他面に実験例１で調製したインジケータ６４を塗布した。なお、インジケータ６４はフィルム６０の端部に部分的に塗布した。さらに、シリコーン系の離型剤をコーティングした剥離紙６６をフィルム６０の粘着剤層６２の面に貼り合わせた。窒素ガス下でインジケータを乾燥後、ポリオレフィン製のガスバリアフィルム６８で包装し約１ヶ月室温放置後、開封して空気中に放置したところ、実験例１と同様の結果を得た。
【００１２】
［実施例１］（ロール状形態、図5参照）
図5（イ）に示すように厚さ３８μｍの二軸延伸ポリプロピレンフィルム（テープ基材）７０の片面に予めゴム系粘着剤を固形分で２５ｇ／ｍ２ となるようにロールコータで塗布乾燥し粘着剤層７４を形成した。次ぎにフィルム７０の他面中央部に図５（ロ）に示すように実験例１で調製したインジケータ７２を筋状に塗布し、窒素ガス下でインジケータ７２を乾燥後、シリコーン系剥離剤を塗布し剥離剤層７３を形成した。これにより本体テープ７６が構成される。
別途ガスバリアフィルム（塩化ビニリデンをコーティングした延伸ポリプロピレンフィルム）７８の片面にシリコーン系剥離剤を塗布して剥離剤層８０を形成し、他面に粘着剤を塗布乾燥して粘着剤層８２を形成して、粘着剤層８２側を内側にして、本体テープ７６のインジケータ７２塗布面の上に貼り合わせた。このようにして作成されたフィルムをロール状に巻いて本発明の前記実施例に係る経時インジケータ付きテープを製造した。
上記方法で得られテープを約1ヶ月空気中に放置し、その後、本テープを適当な大きさに裁断し、表面の剥離フィルム８４を剥離して、インジケータを塗布したフィルム表面が空気に触れるようにしたところ、実験例１と同様の結果を得た。
【００１３】
［実施例２］（シート状形態、図６参照）
図6（イ）に示すように厚さ３８μｍの二軸延伸ポリプロピレンフィルム（テープ基材）８６の片面に予めゴム系粘着剤を固形分で２５ｇ／ｍ２ となるようにロールコータで塗布乾燥し、粘着剤層８８を形成した。次ぎにフィルム８６の他面中央部に図６（ロ）に示すように数字１、２、３（図中点線で表示）を描くようにインジケータ９０を塗布した。図６（ロ）の内「１」で示した部分は実験例１で調製したインジケータを塗布し、「２」、および「３」の部分は、実験例１よりもアルカリの濃度を高くしてそれぞれ約４８時間、約７２時間で色が変化するように調製したインジケータを塗布した。窒素ガス下でインジケータを乾燥後、その上にシリコーン系剥離剤を塗布して剥離剤層９２を形成した。このようにして本体テープ９４をつくった。
別途ガスバリアフィルム（塩化ビニリデンをコーティングした延伸ポリプロピレンフィルム）９６の片面に粘着剤を塗布乾燥し、粘着剤層９８を形成して表側剥離フィルム１００を構成し、その粘着剤層９８側を内側にして、本体テープ９４のインジケータ９０塗布面の上に貼り合わせた。さらに、ガスバリアフィルム（塩化ビニリデンをコーティングした延伸ポリプロピレンフィルム）１０２の片面にシリコーン系剥離剤を塗布して剥離剤層１０４を形成して裏側剥離フィルム１０６を構成し、その剥離剤層１０４側を内側にして、本体テープ９４の粘着剤塗布面の上に貼り合わせ、シート状の本発明に係る経時インジケータ付きテープを製造した。
上記方法で得られテープを約1ヶ月空気中に放置し、その後、裏側剥離フィルム１０６を剥離して適当な物質に貼り付け、さらに表側剥離フィルム１００を剥離してインジケータを塗布したフィルム表面が空気に触れるようにしたところ、「１」で示した部分は約１日後に、「２」および「３」で示した部分はそれぞれ約２日後、約３日後に青色から無色へと変化した。
【００１４】
以上本発明の実施例について説明したが、本発明はこのような実施例に何ら限定されるものではなく、本発明の要旨を逸脱しない範囲において種々なる態様で実施し得ることはもちろんである。
【００１５】
【発明の効果】
本発明は上述のように構成されているので、次に記載する効果を奏する。
経時インジケータ付きテープは経時インジケータがガスバリア層を有する剥離フィルムにより被覆されているので、ガスバリア包装をする必要がない。従って、製造工程を簡略化でき製造コストの軽減を図ることができる。また、使用時に剥離フィルムを剥がすだけでよいので使用が簡単であり、使い勝手がよいという利点がある。さらに、時間の経過を色の変化によって判断するので、いちいち時計を見なくてもよく、使用が容易である。また、患者の輸液セットやカテーテル刺入部消毒の際に使用される粘着フィルムの交換時期（時間）の管理用に使用すれば、輸液管理担当者は一瞥して患者の輸液セットやカテーテル刺入部消毒の際に使用される粘着フィルムが交換時期に達したかどうかを判別できる。従って、輸液セットやカテーテル刺入部消毒の際に使用される粘着フィルムの所定の交換時期を見逃すおそれが減少し、院内感染事故の防止を図ることができる。さらに、経時インジケータ付きテープは食品の賞味期限表示用として使用できる。例えば、スーパーやコンビニエンスストア等で販売するおにぎり等の賞味期限を表示するために使用すれば、管理者は期限管理に要する手間を簡略化できるという利点がある。また、使用単位の大きさのテープ片に色彩変化時間の異なる複数種類のインジケータを使用しておけば、例えば１種類のテープで賞味期限を異にする複数種類の食品等の賞味期限管理用に使用でき、テープの品揃えが少なくて済むという利点がある。
【図面の簡単な説明】
【図１】（イ）は、本発明の一実施例の構成部分の模式的な部分拡大断面図、（ロ）は同実施例の模式的な部分拡大説明図、（ハ）は同実施例の使用状態を示す説明図である。
【図２】（イ）は本発明の他の実施例の模式的な部分拡大断面図、（ロ）は同実施例の使用状態を示す説明図である。
【図３】（イ）は同実施例のテープを使用単位のサイズにカットした単位片を示す平面図、（ロ）はその変形例を示す説明図である。
【図４】（イ）、（ロ）は本発明の実験例の構成を示す模式的な平面図と正面図である。
【図５】（イ）は本発明の一実施例を示す模式的な部分拡大断面図、（ロ）は同実施例の構成部材の一部を破断した平面図である。
【図６】（イ）、（ロ）は本発明のさらに他の実施例を示す模式的な部分拡大断面図、同実施例の構成部材の平面図である。
【符号の説明】
２、３４、６０    テープ基材
４、１２、３６、４４、６２、７４、８２、８８、９８  粘着剤層
６、３８、６４、７２、９０    経時インジケータ
８、１６、４０、４８、８０、９２  剥離剤層
１０、２８、７６、９４  本体テープ
１４、４６  ガスバリア層
１８、８４、１００  剥離フィルム
２０  片面被覆テープ
２２、２６、５４  経時インジケータ付きテープ
３０  表側剥離フィルム
３２  裏側剥離フィルム
６８、７８、９６  ガスバリアフィルム
【図１】
0004657485.tif 000002
【図２】
0004657485.tif 000003
【図３】
0004657485.tif 000004
【図４】
0004657485.tif 000005
【図５】
0004657485.tif 000006
【図６】
0004657485.tif 000007